Podtech/llm-jp-corpus-v4-ja_patent huggingface dataset:
【手続補正書】
【提出日】平成18年7月26日(2006.7.26)
【手続補正１】
【補正対象書類名】明細書
【補正対象項目名】請求項６
【補正方法】変更
【補正の内容】
【請求項６】  前記複数のメモリセルの列に対応して設けられ、第１、第２のビット線を含むビット線対と、
前記第１、第２のビット線の電位を等しい電位にするために、前記第１、第２のビット線にイコライズ電位を与えるイコライズ回路と、
前記テスト動作時に、外部からの設定に応じて電源電位と接地電位のいずれかを選択的に前記イコライズ電位として前記イコライズ回路に与える電位切換回路とをさらに備える、請求項１に記載の半導体記憶装置。
【手続補正２】
【補正対象書類名】明細書
【補正対象項目名】請求項９
【補正方法】変更
【補正の内容】
【請求項９】  行列状に配置された複数のメモリセルを含むメモリアレイと、
前記複数のメモリセルの列に対応して設けられ、第１、第２のビット線を含むビット線対と、
前記第１、第２のビット線の電位を等しい電位にするために、前記第１、第２のビット線にイコライズ電位を与えるイコライズ回路と、
テスト動作時に、外部からの設定に応じて電源電位と接地電位のいずれかを選択的に前記イコライズ電位として前記イコライズ回路に与える電位切換回路とを備える、半導体記憶装置。
【手続補正３】
【補正対象書類名】明細書
【補正対象項目名】００１６
【補正方法】変更
【補正の内容】
【００１６】
ワードドライバ７２は、信号ＲＸ２が与えられるノードと接地ノードとの間に直列に接続されるＰチャネルＭＯＳトランジスタ７８およびＮチャネルＭＯＳトランジスタ８０を含む。ＰチャネルＭＯＳトランジスタ７８およびＮチャネルＭＯＳトランジスタ８０のゲートにはともに複合ゲート回路３６８の出力が与えられる。また、ＰチャネルＭＯＳトランジスタ７８とＮチャネルＭＯＳトランジスタ８０の接続ノードは、ワード線ＷＬ２に接続されている。
【手続補正４】
【補正対象書類名】明細書
【補正対象項目名】００３４
【補正方法】変更
【補正の内容】
【００３４】
コンタクト窓Ｃ０，Ｃ２は、図９で示したような位置関係にあり、これらのコンタクト窓の付近には、ワード線ＷＬ１に接続するためのコンタクト窓は設けられていない。したがって、従来の半導体記憶装置において、コンタクト窓Ｃ０，Ｃ２を設ける際に過剰エッチングが施されると、コンタクト窓に充填する導電体にブリッジが発生するという不良が考えられる。
【手続補正５】
【補正対象書類名】明細書
【補正対象項目名】００７８
【補正方法】変更
【補正の内容】
【００７８】
センスアンプ活性化信号ＳＯＮ、／ＳＯＰおよびイコライズ信号ＢＬＥＱは、図１のクロック発生回路２２において、外部行アドレスストローブ信号Ｅｘｔ．／ＲＡＳおよび外部列アドレスストローブ信号Ｅｘｔ．／ＣＡＳに応じて発生される。
【手続補正６】
【補正対象書類名】明細書
【補正対象項目名】００８３
【補正方法】変更
【補正の内容】
【００８３】
行デコーダは図２で示されたような連続して隣接するワード線４本を単位として構成されているため、これらの連続して隣接する４本のワード線を単位として適切な設定にすることにより、さらにこれら４本のワード線に隣り合うワード線との間の電位の設定も適切に行なうことができ、図８、図９で説明したようなリーク不良を除去することができる。
【手続補正書】
【提出日】平成18年9月27日(2006.9.27)
【手続補正１】
【補正対象書類名】明細書
【補正対象項目名】００１１
【補正方法】変更
【補正の内容】
【００１１】
ブロックＳＡＸ０、…、ＳＡＸｎのそれぞれはさらに、列選択信号ＣＳＬにより制御される入出力回路を含む。たとえば、ブロックＳＡＸ０については、ＮＭＯＳトランジスタＱ０、／Ｑ０で構成される入出力回路を、ブロックＳＡＸｎについては、ＮＭＯＳトランジスタＱｎ、／Ｑｎで構成される入出力回路を含む。
【手続補正２】
【補正対象書類名】明細書
【補正対象項目名】００１７
【補正方法】変更
【補正の内容】
【００１７】
トランジスタＴ９１およびＴ９２は、電源電圧Ｖｃｃを受けるノードと接地電圧を受けるノードとの間に接続される。トランジスタＴ９３およびＴ９４は、電源電圧Ｖｃｃを受けるノードと接地電圧を受けるノードとの間に接続される。トランジスタＴ９１およびＴ９２のそれぞれのゲートは、インバータＩＶ９３、ＩＶ９４の出力を受け、トランジスタＴ９３およびＴ９４のそれぞれのゲートは、インバータＩＶ９５、ＩＶ９２の出力を受ける。データ入出力線ＧＩＯは、トランジスタＴ９１とＴ９２との接続ノードと接続され、データ入出力線／ＧＩＯは、トランジスタＴ９３とＴ９４との接続ノードと接続される。
【手続補正３】
【補正対象書類名】明細書
【補正対象項目名】００５０
【補正方法】変更
【補正の内容】
【００５０】
図２に示されるように、８つのデータ入出力端子ＤＱ（０）〜（７）に対しては、ＳＡ／入出力回路ブロック１０２Ａ〜１０２Ｈ、ライトデータ線対ＧＩＯＷ（０）および／ＧＩＯＷ（０）、…、ＧＩＯＷ（７）および／ＧＩＯＷ（７）、リードデータ線対ＧＩＯＲ（０）および／ＧＩＯＲ（０）、…、ＧＩＯＲ（７）および／ＧＩＯＲ（７）、ならびにＧＩＯ線ライトドライバ／リードアンプ１００Ａ〜１００Ｈを配置する。ＳＡ／入出力回路ブロック１０２Ａ〜１０２Ｈは、それぞれ同一構成を有し、ＧＩＯ線ライトドライバ／リードアンプ１００Ａ〜１００Ｈは、それぞれ同一構成を有する。なお、ＢＬ（０：ｎ）および／ＢＬ（０：ｎ）は、複数本のビット線をそれぞれ表わしている。
【手続補正４】
【補正対象書類名】明細書
【補正対象項目名】０１１７
【補正方法】変更
【補正の内容】
【０１１７】
インバータＩＶ１２、ＩＶ１４、ＩＶ１６、ＩＶ１８の出力ノードはそれぞれ、ライトデータ線ＧＩＯＷ♯Ｏ、／ＧＩＯＷ♯Ｏ、ＧＩＯＷ♯Ｅ、／ＧＩＯＷ♯Ｅと接続される。
【手続補正５】
【補正対象書類名】明細書
【補正対象項目名】０１２６
【補正方法】変更
【補正の内容】
【０１２６】
なお、本発明の実施の形態３による半導体記憶装置３０００は、図１２に示される構成を備える。半導体記憶装置３０００は、図１２に示されるように、行／列アドレスバッファ１０、クロック発生回路１１、およびコマンドデコーダ１２を含むブロック１、行／列デコーダ回路２、ＳＡ／ライトゲート３１０♯０〜３１０♯ｎを有するＳ／Ａ帯を含むメモリ部３Ａ、ＧＩＯ線ライトドライバ３００を含むＧＩＯ線ライトドライバ／リードアンプ帯４Ａ、ならびにデータ入出力回路５を備える。
【手続補正６】
【補正対象書類名】明細書
【補正対象項目名】０１３３
【補正方法】変更
【補正の内容】
【０１３３】
ＧＩＯ線ライトドライバ１１０によれば、ライトマスク時に、ライトマスク単位毎にライトデータ線対ＧＩＯＷ、／ＧＩＯＷをＨレベルにプリチャージした。これに対し、ＧＩＯ線ライトドライバ４００は、ライトマスク時のみならず所望のタイミングでライトデータ線対ＧＩＯＷ、／ＧＩＯＷをＨレベルにプリチャージする。ＧＩＯ線ライトドライバ４００は、インバータＩＶ１〜ＩＶ３およびＩＶ２５、ＮＡＮＤ回路ＮＡ１、ＮＡ２およびＮＡ２５、ならびにトランジスタＴ１〜Ｔ４を含む。インバータＩＶ１〜ＩＶ３およびトランジスタＴ１〜Ｔ４の接続関係は、ＧＩＯ線ライトドライバ１１０と同じである。
【手続補正７】
【補正対象書類名】明細書
【補正対象項目名】０１３４
【補正方法】変更
【補正の内容】
【０１３４】
ＮＡＮＤ回路ＮＡ１およびＮＡ２は、ライトマスク信号／ＷＭに代わって、インバータＩＶ２５の出力する信号Ｓ３を入力に受ける。インバータＩＶ２５は、ＮＡＮＤ回路ＮＡ２５の出力を反転して、信号Ｓ３を出力する。ＮＡＮＤ回路ＮＡ２５は、ライトマスク信号／ＷＭと制御コマンド信号Ｒｅｆとを入力に受ける。
【手続補正８】
【補正対象書類名】明細書
【補正対象項目名】０１４１
【補正方法】変更
【補正の内容】
【０１４１】
［実施の形態５］
本発明の実施の形態５では、本発明の実施の形態１の構成の改良例を示す。実施の形態１によるＧＩＯ線ライトドライバ１１０によれば、ライトマスクをする場合、完全にライトデータ線対ＧＩＯＷ、／ＧＩＯＷがＨレベルにプリチャージした後に、列選択信号ＣＳＬＷをＨレベルにする。プリチャージの途中で、列選択信号ＣＳＬＷをＨレベルにしてライトゲートがオンさせると、ライトデータ線ＧＩＯＷと／ＧＩＯＷとの電位差に応じてビット線ＢＬおよび／ＢＬの電位が反転することもありうるからである。しかしながら、完全にプリチャージされるのを待ってからライトゲートをオンすると、高速動作ができない。
【手続補正９】
【補正対象書類名】明細書
【補正対象項目名】０１６４
【補正方法】変更
【補正の内容】
【０１６４】
次に、時刻ｔ３のライトクロックＷｒｉｔｅＣＬＫの立上がりに同期して、信号／ＷＥが再びＬレベルになる。プリチャージ制御回路７００は、Ｌレベルの信号を出力する。これにより、ライトデータ線対ＧＩＯＷ、／ＧＩＯＷのプリチャージが開始される。信号／ＷＥがＬレベルの状態でライトマスク信号／ＷＭがＬレベルになると、プリチャージ制御回路７００は、そのままＬレベルの信号を出力する。これにより、プリチャージ動作が継続される。この時点で、ライトデータ線対はある程度プリチャージされているため、高速にプリチャージを完了することができる。
【手続補正１０】
【補正対象書類名】図面
【補正対象項目名】図２０
【補正方法】変更
【補正の内容】
【図２０】
2001202782.tif 000001
【手続補正１１】
【補正対象書類名】図面
【補正対象項目名】図２７
【補正方法】変更
【補正の内容】
【図２７】
2001202782.tif 000002
【手続補正書】
【提出日】平成18年2月24日(2006.2.24)
【手続補正１】
【補正対象書類名】明細書
【補正対象項目名】特許請求の範囲
【補正方法】変更
【補正の内容】
【特許請求の範囲】
【請求項１】
１フレーム期間はｍ（ｍは２以上の自然数）通りの異なる長さのサブフレーム期間を有し、
前記ｍ通りの異なる長さのサブフレーム期間は、それぞれアドレス期間とサステイン期間とを有し、
前記アドレス期間において、アナログデータ信号を対応する画素に入力し、
前記サステイン期間において、前記アナログデータ信号によって前記画素の有する発光素子はｎ通りの輝度（ｎは２以上の自然数）で発光することを特徴とする発光装置の駆動方法。
【請求項２】
１フレーム期間はｍ（ｍは２以上の自然数）個のサブフレーム期間を有し、
前記ｍ個のサブフレーム期間は、それぞれアドレス期間とサステイン期間とを有し、
前記アドレス期間において、アナログデータ信号を対応する画素に入力し、
前記サステイン期間において、前記アナログデータ信号によって前記画素の有する発光素子は、ｎ通りの輝度（ｎは２以上の自然数）で発光し、
ｎｍ通りの階調を表現することを特徴とする発光装置の駆動方法。
【請求項３】
１フレーム期間はｍ（ｍは２以上の自然数）通りの異なる長さのサブフレーム期間を有し、
前記ｍ通りの異なる長さのサブフレーム期間は、それぞれアドレス期間とサステイン期間とを有し、
前記アドレス期間において、アナログデータ信号をソース信号線から対応する画素に入力し、
前記サステイン期間において、前記アナログデータ信号によって前記画素の有する発光素子はｎ通りの輝度（ｎは２以上の自然数）で発光することを特徴とする発光装置の駆動方法。
【請求項４】
１フレーム期間はｍ（ｍは２以上の自然数）個のサブフレーム期間を有し、
前記ｍ個のサブフレーム期間は、それぞれアドレス期間とサステイン期間とを有し、
前記アドレス期間において、アナログデータ信号をソース信号線から対応する画素に入力し、
前記サステイン期間において、前記アナログデータ信号によって前記画素の有する発光素子は、ｎ通りの輝度（ｎは２以上の自然数）で発光し、
ｎｍ通りの階調を表現することを特徴とする発光装置の駆動方法。
【請求項５】
請求項１乃至請求項４のいずれか１項において、
前記発光装置は前記複数の発光素子が設けられた画素部を有し、
前記複数の発光素子は、第１の電極と、第２の電極とをそれぞれ有し、
前記発光素子のサステイン期間における発光輝度は、前記第１の電極と前記第２の電極の間に流れるオンの発光素子駆動電流によって制御されていることを特徴とする発光装置の駆動方法。
【請求項６】
請求項１乃至請求項５のいずれか１項において、
前記１フレーム期間の中に、発光素子に順方向とは逆方向の極性にてバイアス電圧を印加する期間を有することを特徴とする発光装置の駆動方法。
【請求項７】
請求項１乃至請求項６のいずれか１項において、
前記発光素子は前記アドレス期間中に発光しないことを特徴とする発光装置の駆動方法。
【請求項８】
請求項１乃至請求項７のいずれか１項に記載の発光装置の駆動方法を用いることを特徴とする電子機器。
【手続補正２】
【補正対象書類名】明細書
【補正対象項目名】００９５
【補正方法】変更
【補正の内容】
【００９５】
外部から入力させる（ａ＋ｂ）ビット（ａは２以上の自然数）（ｂは２以上の自然数）のビデオデータ信号と制御信号とは、ビデオ信号処理回路４２１において変換され、ソース信号線駆動回路とゲート信号線駆動回路に入力する制御信号およびデジタルデータ信号を生成する。
【手続補正３】
【補正対象書類名】明細書
【補正対象項目名】００９６
【補正方法】変更
【補正の内容】
【００９６】
ビデオ信号処理回路４２１は、１フレーム期間にａビットの階調に対応した複数のサブフレーム期間をもうける手段と、ｂビットの階調をデジタルデータ信号として出力する手段と、ソース信号線駆動回路４０２及びゲート信号線駆動回路４０３を動作させる制御信号を出力する手段と、を有している。前記サブフレーム期間はアドレス期間とサステイン期間とに分けられ、ａビットの階調に対応してサステイン期間が設定されるものとする。
【手続補正４】
【補正対象書類名】明細書
【補正対象項目名】０１０６
【補正方法】変更
【補正の内容】
【０１０６】
図４（Ａ）の画素部４０１にはマトリクス状に複数の画素４０４が配列される。画素４０４の拡大図を図４（Ｂ）に示す。図４（Ｂ）において、４０５はスイッチング用ＴＦＴである。スイッチング用ＴＦＴ４０５のゲート電極は、ゲート信号が入力されるゲート信号線４０６に接続されている。スイッチング用ＴＦＴ４０５のソース領域とドレイン領域は、一方がアナログデータ信号が入力されるソース信号線４０７に、もう一方が駆動用ＴＦＴ４０８のゲート電極にそれぞれ接続されている。
【手続補正書】
【提出日】平成18年4月28日(2006.4.28)
【手続補正１】
【補正対象書類名】明細書
【補正対象項目名】特許請求の範囲
【補正方法】変更
【補正の内容】
【特許請求の範囲】
【請求項１】  合成音声を最適化する方法において、
原音サンプルを使用して音声合成多項式の第１の係数を計算して、第１合成音声サンプルを生成する過程と、
前記原音サンプルと前記第１合成音声サンプルとの間の第１誤差を計算する過程と、
前記第１誤差の勾配を計算する過程と、
前記勾配を使用して前記音声合成多項式の第２の係数を計算し、第２合成音声サンプルを生成する過程と、
前記原音サンプルと前記第２合成音声サンプルとの間の第２誤差を計算する過程と、  前記第２誤差が前記第１誤差より小さい場合は前記の第２の係数を選択し、前記第２誤差が前記第１誤差より大きい場合は前記第１の係数を選択する過程と
を有することを特徴とする方法。
【請求項２】  請求項１に記載の方法において、
前記勾配に適用されたステップサイズを使用して、前記第２の係数が繰り返し計算され、
各繰り返しにおいて誤差が計算され、各繰り返しでの前記誤差が減少しなくなったら繰り返しを終える
ことを特徴とする方法。
【請求項３】  請求項２に記載の方法において、
前記第２の誤差の勾配を計算する過程と、
前記第２の誤差の勾配を使用して前記音声合成多項式の第３の係数を計算して、第３の合成音声サンプルを生成する過程と
を更に有し、
前記第３の係数は、前記第２の誤差の勾配に適用されるステップサイズを使用して繰り返し計算され、
各繰り返しにおいて１つの誤差が計算され、
各繰り返しにおけるの誤差が減少しなくなると繰り返しを終了し、
前記原音サンプルと前記第３の合成音声サンプルとの間の第３の誤差を計算する過程と、
システムの不安定さに関して前記第３の誤差をテストする過程と、
前記テストにより不安定であるとされた場合、前記第２の係数を選択する過程と
を更に有することを特徴とする方法。
【請求項４】  請求項１に記載の方法において、
前記第２の係数は前記勾配に適用される適応ステップサイズを用いて計算され、
前記適応ステップサイズは前記勾配と前記第１の係数との関数である
ことを特徴とする方法。
【請求項５】  請求項１に記載の方法において、
システムの不安定さに関して前記第２の誤差をテストし、前記テスト結果が不安定であるとなった場合は前記第１係数を選択するテスト過程を更に有する
ことを特徴とする方法。
【請求項６】  請求項５に記載の方法において、
前記テスト過程は更に、
前記第２誤差と前記第１誤差との間の差分を計算する過程と、
前記差分が終了閾値より大きいかどうかを判定する過程と
を有することを特徴とする方法。
【請求項７】  請求項１に記載の方法において、
前記勾配に聴覚重み付けを与える過程を
更に有することを特徴とする方法。
【請求項８】  請求項１に記載の方法において、
前記勾配に適用されたステップサイズを使用して前記第２の係数が繰り返し計算され、
各繰り返しにおいて１つの誤差が計算され、
前記誤差が各繰り返しで減少しなくなったら前記繰り返しを終了し、
システムの不安定さに関して前記第２の誤差をテストする過程と、
前記テストにおいて不安定であるとされた場合、前記第１の係数を選択する過程と、
前記勾配に聴覚重み付けを行う過程と
を更に有することを特徴とする方法。
【請求項９】  音声合成フィルタを生成する方法において、
第１合成音声を生成する過程と、
前記第１合成音声に基づいて第１誤差エネルギーを計算する過程と、
前記第１誤差エネルギーに基づいて誤差エネルギー勾配を計算する過程と、
前記誤差エネルギー勾配を使用して第２合成音声を生成する過程と、
を有することを特徴とする方法。
【請求項１０】  請求項９に記載の方法において、
前記誤差エネルギー勾配は、システム差分方程式から直接計算される
ことを特徴とする方法。
【請求項１１】  請求項１０に記載の方法において、
前記第２合成音声から最小第２誤差エネルギーを繰り返し検索することにより、前記第２合成音声が生成される
ことを特徴とする方法。
【請求項１２】  請求項１１に記載の方法において、
前記第２合成音声は、前記誤差エネルギー勾配に適用される適応ステップサイズを使用して計算され、
前記適応ステップサイズは、前記誤差エネルギー勾配と前記第１合成音声の関数である
ことを特徴とする方法。
【請求項１３】  請求項１１に記載の方法において、
システムの不安定性さに関して前記第２の合成音声をテストする過程と、
前記テストにより不安定であるとされた場合、前記第１の合成音声を選択する過程と
を更に有することを特徴とする方法。
【請求項１４】  第１の線形予測係数を計算する過程と、
システム差分方程式から直接誤差エネルギー勾配を計算する過程と、
前記誤差エネルギー勾配から第２の線形予測係数を計算する過程と、
前記第１の線形予測係数の前記誤差エネルギーと、前記第２の線形予測係数の
前記誤差エネルギーとを比較する過程と、
前記第１線形予測係数および前記第２の線形予測係数のうち誤差エネルギーの少ないほうを選択する過程と
を有することを特徴とする音声最適化方法。
【請求項１５】  請求項１４に記載の音声最適化方法において、
システム不安定性さに関して前記第２の線形予測係数をテストする過程を更に有する
ことを特徴とする音声最適化方法。
【請求項１６】  請求項１５に記載の音声最適化方法において、
前記第２の線形予測係数を適応的に計算する過程を更に有する
ことを特徴とする音声最適化方法。
【請求項１７】  請求項１５に記載の音声最適化方法において、
前記誤差エネルギー勾配に聴覚重み付けを行う過程を更に有する
ことを特徴とする音声最適化方法。
【請求項１８】  原音サンプルを使用して音声合成多項式の第１の線形予測係数を計算する手段と、
システム差分方程式から直接誤差エネルギー勾配を計算する手段と、
前記誤差エネルギー勾配から第２の線形予測係数を計算する手段と、
前記第１の線形予測係数の前記誤差エネルギーと、前記第２の線形予測係数の
前記誤差エネルギーとを比較し、前記誤差エネルギーの少ない方を選択する手段
と
を有することを特徴とする音声最適化装置。
【手続補正書】
【提出日】平成18年5月30日(2006.5.30)
【手続補正１】
【補正対象書類名】明細書
【補正対象項目名】発明の名称
【補正方法】変更
【補正の内容】
【発明の名称】情報処理装置及び情報処理方法
【手続補正２】
【補正対象書類名】明細書
【補正対象項目名】特許請求の範囲
【補正方法】変更
【補正の内容】
【特許請求の範囲】
【請求項１】
マルチメディアデータを再生する情報処理装置において、
識別データを取得する取得手段と、
前記取得された識別データを、マルチメディアデータに隠匿的に埋め込み処理するためのデータ埋め込み手段と、
前記データ埋め込み手段が識別データを埋め込んだ前記情報を出力する出力手段と
を備えることを特徴とする情報処理装置。
【請求項２】
前記マルチメディアデータは暗号化されており、該暗号化されたマルチメディアデータを復号する復号手段
を更に備え、
前記データ埋め込み手段は、前記復号手段により復号されたマルチメディアデータに対して、識別データの埋め込みを行う
ことを特徴とする請求項１に記載の情報処理装置。
【請求項３】
前記識別データは、前記情報処理装置ごとに付与されたＩＤである
ことを特徴とする請求項２に記載の情報処理装置。
【請求項４】
前記情報処理装置は、更に外部から送信される情報を受信する受信手段を備え、
前記受信手段は、情報記憶媒体から情報を再生して出力する情報出力装置と接続可能であり、当該情報記憶媒体から再生された情報を受信するためのローカル用インターフェース手段であり、
前記データ埋め込み手段は、前記ローカル用インターフェース手段を介して受信した情報に対して、隠匿的に識別データを埋め込む手段である
ことを特徴とする請求項３に記載の情報処理装置。
【請求項５】
前記データ埋め込み手段は、ディジタル信号のマルチメディアデータに対して、隠匿的に識別データを埋め込む
ことを特徴とする請求項１に記載の情報処理装置。
【請求項６】
前記データ埋め込み手段は、外部から取得されたアルゴリズムに基づいて、前記識別データをマルチメディアデータに隠匿的に埋め込む
ことを特徴とする請求項１に記載の情報処理装置。
【請求項７】
マルチメディアデータを再生する情報処理方法であり、
識別データを取得する第１の工程と、
前記第２の工程において取得された識別データを、前記マルチメディアデータに隠匿的に埋め込み処理する第２の工程と、
前記第２の工程において前記識別データを埋め込まれたマルチメディアデータを出力する第３の工程と、
を備えることを特徴とする情報処理方法。
【手続補正３】
【補正対象書類名】明細書
【補正対象項目名】０００１
【補正方法】変更
【補正の内容】
【０００１】
【発明の属する技術分野】
本発明は、例えばコンピュータネットワーク、ディジタル放送網、またはディスクなどの情報媒体のドライブから送信または出力された映像などの情報を、パーソナルコンピュータやテレビジョン受信機に出力して再生する情報処理装置及び情報処理方法に関し、特にカードモジュールを利用して情報の著作権を保護するための機能を有する情報処理装置及び情報処理方法に関する。
【手続補正４】
【補正対象書類名】明細書
【補正対象項目名】０００９
【補正方法】変更
【補正の内容】
【０００９】
【課題を解決するための手段】
本発明の情報処理装置は、マルチメディアデータを再生する情報処理装置において、識別データを取得する取得手段と、前記取得された識別データを、マルチメディアデータに隠匿的に埋め込み処理するためのデータ埋め込み手段と、前記データ埋め込み手段が識別データを埋め込んだ前記情報を出力する出力手段とを備える。
【手続補正書】
【提出日】平成18年11月13日(2006.11.13)
【手続補正１】
【補正対象書類名】明細書
【補正対象項目名】特許請求の範囲
【補正方法】変更
【補正の内容】
【特許請求の範囲】
【請求項１】
コンピュータによりバリアブル印刷を行わせるためのコンピュータプログラムであって、コンピュータに、
マスタデータに定義された可変フィールドの型が一定の型である場合には当該可変フィールドに対応する項目の値を判定させ、その値に応じて当該バリアブル印刷についての出力手順を制御させることを特徴とするコンピュータプログラム。
【請求項２】
コンピュータに、前記可変フィールドの型が前記一定の型以外の型である場合には、その可変フィールドには、対応する項目を挿入させることを特徴とする請求項１に記載のコンピュータプログラム。
【請求項３】
前記マスタデータはページの集合として構成され、前記可変フィールドの一定の型として削除フラグフィールドが含まれ、
該削除フラグフィールドの型の可変フィールドを含むマスタデータのページについては、対応する項目の値が削除を示す値である場合、当該ページを出力しないよう、コンピュータに出力手順を制御させることを特徴とする請求項１または２に記載のコンピュータプログラム。
【請求項４】
前記マスタデータはページの集合として構成され、前記可変フィールドの一定の型として給紙段フィールドが含まれ、
該給紙段フィールドの型の可変フィールドを含むマスタデータのページについては、対応する項目の値により示される、印刷手段の給紙段より用紙を供給するよう、コンピュータに出力手順を制御させることを特徴とする請求項１または２に記載のコンピュータプログラム。
【請求項５】
前記マスタデータはページの集合として構成され、前記可変フィールドの一定の型として給紙段フィールドが含まれ、該給紙段フィールドの型の可変フィールドを含むマスタデータの全ページについて、対応する項目の値により示される、印刷手段の給紙段より用紙を供給するよう、コンピュータに出力手順を制御させることを特徴とする請求項１または２に記載のコンピュータプログラム。
【請求項６】
請求項１乃至５のいずれか１項に記載のコンピュータプログラムを記録したことを特徴とするコンピュータ可読記録媒体。
【請求項７】
請求項１乃至５のいずれか１項に記載のコンピュータプログラムをコンピュータにより実行することで実現される印刷制御装置。
【請求項８】
バリアブル印刷を行うための印刷制御装置であって、
マスタデータに定義された可変フィールドの型が一定の型である場合には当該可変フィールドに対応する項目の値を判定し、その値に応じて当該バリアブル印刷についての出力手順を制御することを特徴とする印刷制御装置。
【請求項９】
前記マスタデータはページの集合として構成され、前記可変フィールドの一定の型として削除フラグフィールドが含まれ、
該削除フラグフィールドの型の可変フィールドを含むマスタデータのページについては、対応する項目の値が削除を示す値である場合、当該ページを出力しないよう出力手順を制御することを特徴とする請求項８に記載の印刷制御装置。
【請求項１０】
前記マスタデータはページの集合として構成され、前記可変フィールドの一定の型として給紙段フィールドが含まれ、
該給紙段フィールドの型の可変フィールドを含むマスタデータのページについては、対応する項目の値により示される、印刷手段の給紙段より用紙を供給するよう出力手順を制御することを特徴とする請求項８に記載の印刷制御装置。
【請求項１１】
前記マスタデータはページの集合として構成され、前記可変フィールドの一定の型として給紙段フィールドが含まれ、該給紙段フィールドの型の可変フィールドを含むマスタデータの全ページについて、対応する項目の値により示される、印刷手段の給紙段より用紙を供給するよう出力手順を制御することを特徴とする請求項８に記載の印刷制御装置。
【請求項１２】
バリアブル印刷を行うための印刷制御方法であって、
判定手段がマスタデータに定義された可変フィールドの型が一定の型である場合には当該可変フィールドに対応する項目の値を判定し、制御手段がその値に応じて当該バリアブル印刷についての出力手順を制御することを特徴とする印刷制御方法。
【請求項１３】
マスタ文書データに定義された可変フィールドに対して、データベースに定義されたレコードに順次注目し、注目レコードの各項目を対応する前記可変フィールドに挿入して出力させるためのプログラムであって、
前記マスタ文書データに定義された可変フィールドを検索する検索手段と、
検索された可変フィールドが一定の型であることを判定する第１判定手段と、
前記第１判定手段により前記一定の型でないと判定された可変フィールドについては、当該可変フィールドに対応する、前記注目レコードに含まれる項目の値を挿入し、前記第１判定手段により前記一定の型であると判定された可変フィールドについては、当該可変フィールドに対応する、前記注目レコードに含まれる項目の値を更に判定し、その値に応じて前記マスタ文書データの出力手順を制御する制御手段と
してコンピュータを機能させることを特徴とするプログラム。
【手続補正書】
【提出日】平成18年2月9日(2006.2.9)
【手続補正１】
【補正対象書類名】明細書
【補正対象項目名】特許請求の範囲
【補正方法】変更
【補正の内容】
【特許請求の範囲】
【請求項１】
三重項励起状態からの発光を呈する発光素子に、順方向バイアスおよび逆方向バイアスを印加する際、
前記順方向バイアスおよび前記逆方向バイアスを交互に印加する周期内において、
前記順方向バイアスの最大電圧の絶対値が、前記逆方向バイアスの最大電圧の絶対値より大きくなるように前記順方向バイアスおよび前記逆方向バイアスを印加し、
前記逆方向バイアスを印加する時間が、前記順方向バイアスを印加する時間と同じ時間か、または前記順方向バイアスを印加する時間より長い時間となるように前記順方向バイアスおよび前記逆方向バイアスを印加することを特徴とする発光装置の駆動方法。
【請求項２】
請求項１において、
前記逆方向バイアスの最大電圧の絶対値が、前記順方向バイアスの最大電圧の絶対値の４分の１以上になるように前記順方向バイアスおよび前記逆方向バイアスを印加することを特徴とする発光装置の駆動方法。
【請求項３】
請求項１または請求項２において、
前記順方向バイアスは前記発光素子に対して一定の電圧が加わるように印加し、前記逆方向バイアスは前記発光素子に対して一定の電圧が加わるように印加することを特徴とする発光装置の駆動方法。
【請求項４】
請求項１または請求項２において、
前記順方向バイアスは前記発光素子に対して一定の電流を流すように印加し、前記逆方向バイアスは前記発光素子に対して一定の電圧が加わるように印加することを特徴とする発光装置の駆動方法。
【手続補正書】
【提出日】平成18年2月6日(2006.2.6)
【手続補正１】
【補正対象書類名】明細書
【補正対象項目名】特許請求の範囲
【補正方法】変更
【補正の内容】
【特許請求の範囲】
【請求項１】  エレベータ設備におけるマルチメディアコンテンツ提示の手順であって、
ユーザに対し、マルチメディアコンテンツを有する少なくとも１つのユーザプロファイル（ＢＰ、ＢＰ’、ＢＰ”）を記憶し、
前記ユーザを識別し、
前記ユーザプロファイル（ＢＰ、ＢＰ’、ＢＰ”）に記憶したマルチメディアコンテンツを前記識別したユーザに提示し、
前記ユーザプロファイル（ＢＰ、ＢＰ’、ＢＰ”）のマルチメディアコンテンツを前記ユーザが管理することを特徴とする手順。
【請求項２】  カテゴリーに分けたマルチメディアコンテンツを有する前記ユーザプロファイル（ＢＰ、ＢＰ’、ＢＰ”）を記憶することおよび／またはカテゴリーに分けたマルチメディアコンテンツを有するユーザプロファイル（ＢＰ、ＢＰ’、ＢＰ”）を前記ユーザに提供することおよび／または前記ユーザプロファイル（ＢＰ、ＢＰ’、ＢＰ”）のカテゴリーに分けたマルチメディアコンテンツを前記ユーザがカテゴリーによって評価することができることを特徴とする、請求項１に記載の手順。
【請求項３】  マルチメディアコンテンツを少なくとも１つの人口統計的な移動の好み、および／または少なくとも１つの心理学的な移動の好み、および／または少なくとも１つの状況による移動の好みに応じてカテゴリーに分けることを特徴とする、請求項２に記載の手順。
【請求項４】  受け入れる場合Ｙ２には、特定のマルチメディアコンテンツを再命令する、および／または、受け入れない場合Ｎ２には、特定のマルチメディアコンテンツを新たに命令することを特徴とする、請求項１から３のいずれか１項に記載の手順。
【請求項５】  前記ユーザプロファイル（ＢＰ、ＢＰ’、ＢＰ”）のマルチメディアコンテンツの提示のために、前記ユーザが出力装置Ａで、前記ユーザプロファイル（ＢＰ、ＢＰ’、ＢＰ”）のマルチメディアコンテンツの選択および評価を実行することを特徴とする、請求項１から４のいずれか１項に記載の手順。
【請求項６】  プロバイダ（Ｖ）により、前記ユーザプロファイル（ＢＰ、ＢＰ’、ＢＰ”）のマルチメディアコンテンツの繰り返し命令（７）信号に従いマルチメディアコンテンツを再命令し、あるいは前記ユーザプロファイル（ＢＰ、ＢＰ’、ＢＰ”）のマルチメディアコンテンツの新しい命令（８）信号に従いマルチメディアコンテンツの新しい命令を行うことを特徴とする、請求項１から５のいずれか１項に記載の手順。
【請求項７】  エレベータ設備におけるマルチメディアコンテンツ提示システムであって、
少なくとも１つの認識装置（Ｅ）が識別コードを認識し、
少なくとも１つの試験装置（Ｐ）が認識した識別コードを同定し、
少なくとも１つのコンテンツデータベース（Ｍ）がユーザのためにマルチメディアコンテンツを有する少なくとも１つのユーザプロファイル（ＢＰ、ＢＰ’、ＢＰ”）を記憶し、
前記ユーザプロファイル（ＢＰ、ＢＰ’、ＢＰ”）の選択および評価のために、少なくとも１つの入力装置を準備することを特徴とするシステム。
【請求項８】  第５あるいは第６の部類（Ａ５，Ａ６）による前記ユーザプロファイル（ＢＰ、ＢＰ’、ＢＰ”）のマルチメディアコンテンツの提示のための少なくとも１つの出力装置（Ａ）を、前記ユーザプロファイル（ＢＰ、ＢＰ’、ＢＰ”）の選択および評価のための入力手段として提供することを特徴とする、請求項７に記載のシステム。
【請求項９】  エレベータ設備におけるマルチメディアコンテンツ提示のコンピュータプログラム製品であって、
前記コンピュータプログラム製品がユーザの少なくとも１つの認識した識別コードを識別アドレスと比較し、
前記コンピュータプログラム製品が前記認識した識別コードの識別アドレスへの割り振りにより前記ユーザを同定し、
前記コンピュータプログラム製品がマルチメディアコンテンツを有する個々のユーザプロファイル（ＢＰ、ＢＰ’、ＢＰ”）を識別アドレスに割り当て、
前記コンピュータプログラム製品が、ユーザプロファイル（ＢＰ、ＢＰ’、ＢＰ”）のマルチメディアコンテンツを、繰り返す命令（７）、あるいは新しくする命令（８）の信号を受信することを特徴とするコンピュータプログラム製品。
【請求項１０】  前記コンピュータプログラム製品がマルチメディアコンテンツを前記ユーザプロファイル（ＢＰ、ＢＰ’、ＢＰ”）にカテゴリー分けし、および／または、前記コンピュータプログラム製品がマルチメディアコンテンツを前記ユーザの、少なくとも１つの移動の好みによりカテゴリー分けし、および／または前記コンピュータプログラム製品が、プロバイダ（Ｖ）により、前記ユーザプロファイル（ＢＰ、ＢＰ’、ＢＰ”）のマルチメディアコンテンツの繰り返し命令（７）信号に従いマルチメディアコンテンツを再命令し、および／または前記ユーザプロファイル（ＢＰ、ＢＰ’、ＢＰ”）のマルチメディアコンテンツの新しい命令（８）信号に従いマルチメディアコンテンツの新しい命令を行うことを特徴とする、請求項９に記載のコンピュータプログラム製品。
【手続補正２】
【補正対象書類名】図面
【補正対象項目名】図４
【補正方法】変更
【補正の内容】
【図４】
2003323446.tif 000001
【手続補正書】
【提出日】平成18年7月2日(2006.7.2)
【手続補正１】
【補正対象書類名】明細書
【補正対象項目名】請求項１
【補正方法】変更
【補正の内容】
【請求項１】
第１および第２電源コード；および、
第１電源コードから第１組および第２組の電気負荷に給電する第１給電モードと、第１電源コードから第１組の電気負荷に給電しかつ第２電源コードから第２組の電気負荷に給電する第２給電モードを有するスイッチ手段；
を備える電源装置。
【手続補正２】
【補正対象書類名】明細書
【補正対象項目名】請求項３
【補正方法】変更
【補正の内容】
【請求項３】
第１および第２電源コード；
第１組および第２組の電気負荷；
第１電源コードから第１組および第２組の電気負荷に給電する第１給電モードと、第１電源コードから第１組の電気負荷に給電しかつ第２電源コードから第２組の電気負荷に給電する第２給電モードを有するスイッチ手段；および、
画像形成装置が、第１組および第２組の電気負荷の消費電力の和が設定値を超える立上りモードのときは第２給電モードに、設定値以下となる待機モードのときには第１給電モードに、前記スイッチ手段を設定する給電モード制御手段；
を備える画像形成装置。
【手続補正３】
【補正対象書類名】明細書
【補正対象項目名】０００８
【補正方法】変更
【補正の内容】
【０００８】
【課題を解決するための手段】
（１）第１および第２電源コード(48,49)；および、
第１電源コード(48)から第１組および第２組の電気負荷(42a,42b)に給電する第１給電モードと、第１電源コード(48)から第１組の電気負荷(42a)に給電しかつ第２電源コード(49)から第２組の電気負荷(42b)に給電する第２給電モードを有するスイッチ手段(RA1,RA2)；を備える電源装置。
【手続補正４】
【補正対象書類名】明細書
【補正対象項目名】００１６
【補正方法】変更
【補正の内容】
【００１６】
（３）第１および第２電源コード(48,49)；
第１組および第２組の電気負荷(42a,42b)；
第１電源コード(48)から第１組および第２組の電気負荷(42a,42b)に給電する第１給電モードと、第１電源コード(48)から第１組の電気負荷(42a)に給電しかつ第２電源コード(49)から第２組の電気負荷(42b)に給電する第２給電モードを有するスイッチ手段(RA1,RA2)；および、
画像形成装置が、第１組および第２組の電気負荷(42a,42b)の消費電力の和が設定値を超える立上りモードのときは第２給電モードに、設定値以下となる待機モードのときには第１給電モードに、前記スイッチ手段(RA1,RA2)を設定する給電モード制御手段(20)；
を備える画像形成装置。
【手続補正５】
【補正対象書類名】明細書
【補正対象項目名】００３５
【補正方法】変更
【補正の内容】
【００３５】
ＡＣ電源回路４０ａには、第１電源コード４８からのＡＣ入力１を除湿ヒータ４７ａおよび第１定着ヒータ４２ａに給電する交流通電回路５０および５１ａ、ならびに、第１電源コード４８からのＡＣ入力１又は第２電源コード４９からのＡＣ入力２を第２定着ヒータ４２ｂに給電する交流通電回路５１ｂがある。第１および第２定着ヒータ４２ａ，４２ｂは、メイン制御板２０から交流通電回路５１ａ，５１ｂへの制御信号を用いるトライアックの導通位相制御によって所定の温度に成るように通電が制御される。除湿ヒータ４７ａの役割は、省電力モードの時の転写紙の除湿や、光学系などの結露防止である。
【手続補正６】
【補正対象書類名】明細書
【補正対象項目名】００３７
【補正方法】変更
【補正の内容】
【００３７】
ＡＣ電源回路４０ａには更に、第１電源コード４８からのＡＣ入力１および第２電源コード４９からのＡＣ入力２を選択的に交流通電回路５１ｂ（第２定着ヒータ４２ｂ）に給電するための電気リレーＲＡ１およびＲＡ２がある。これらのリレーのＯＮ／ＯＦＦは、メイン制御板２０のＭＰＵ２０１が制御する。なお、後述するように、電気リレーＲＡ１をＯＮ（閉）にするときには電気リレーＲＡ２はＯＦＦ（開）、電気リレーＲＡ２をＯＮにするときには電気リレーＲＡ１をＯＦＦにするので、両リレーＲＡ１，ＲＡ２を、一方が閉であると他方が開となる双極の１個の電気リレーに変えても良い。
【手続補正書】
【提出日】平成18年4月18日(2006.4.18)
【手続補正１】
【補正対象書類名】明細書
【補正対象項目名】特許請求の範囲
【補正方法】変更
【補正の内容】
【特許請求の範囲】
【請求項１】  半導体薄膜と、酸化膜と、ゲート電極とを含む積層構造を有す
る薄膜トランジスタの製造方法であって、
絶縁性の基板に多結晶シリコンからなる上記半導体薄膜を形成する半導体薄膜
形成工程と、
上記半導体薄膜の上に上記酸化膜を形成する酸化膜形成工程と、
上記酸化膜形成工程後に酸素原子を含有する気体の加圧雰囲気下で熱処理を行
うアニール工程と、
上記アニール工程後に上記酸化膜上に水素脱離防止膜を成膜する水素脱離防止
膜成膜工程と、
上記水素脱離防止膜成膜工程後に熱処理を行う水素化工程とを備えること
を特徴とする薄膜トランジスタの製造方法。
【請求項２】  上記半導体薄膜をパタニングして薄膜トランジスタの素子領域
を形成する素子領域形成工程を上記酸化膜形成工程の前に行うこと
を特徴とする請求項１記載の薄膜トランジスタの製造方法。
【請求項３】  上記半導体薄膜をパタニングして薄膜トランジスタの素子領域
を形成する素子領域形成工程を上記酸化膜形成工程の後に行うこと
を特徴とする請求項１記載の薄膜トランジスタの製造方法。
【請求項４】  上記半導体薄膜形成工程の前に上記絶縁性の基板に予めゲート
電極を形成するゲート電極形成工程を備え、
上記半導体薄膜形成工程は、上記ゲート電極の上にゲート絶縁膜を介して上記
半導体薄膜を形成し、
上記酸化膜形成工程は、上記半導体薄膜の上に上記酸化膜を形成すること
を特徴とする請求項１記載の薄膜トランジスタの製造方法。
【請求項５】  上記水素化工程における熱処理を乾燥雰囲気下で行うこと
を特徴とする請求項１記載の薄膜トランジスタの製造方法。
【請求項６】  上記乾燥雰囲気は、酸素雰囲気、大気雰囲気、窒素雰囲気、不
活性ガス雰囲気、真空雰囲気のいずれかであること
を特徴とする請求項５記載の薄膜トランジスタの製造方法。
【請求項７】  画素電極とこれを駆動する薄膜トランジスタとが配された第１
の基板と上記画素電極に対面する電極が配された第２の基板とが所定の間隙をお
いて対向配置されるとともに上記間隔に液晶が保持されてなる表示パネルを有し
、上記薄膜トランジスタが半導体薄膜と酸化膜とゲート電極とを含む積層構造を
有する液晶表示装置の製造方法であって、
上記第１の基板に多結晶シリコンからなる上記半導体薄膜を形成する半導体薄
膜形成工程と、
上記半導体薄膜の上に上記酸化膜を形成する酸化膜形成工程と、
上記酸化膜形成工程後に酸素原子を含有する気体の加圧雰囲気下で熱処理を行
うアニール工程と、
上記アニール工程後に上記酸化膜上に水素脱離防止膜を成膜する水素脱離防止
膜成膜工程と、
上記水素脱離防止膜成膜工程後に熱処理を行う水素化工程とを備えること
を特徴とする液晶表示装置の製造方法。
【請求項８】  絶縁性の基板にエレクトロルミネッセンス素子とこれを駆動
する薄膜トランジスタが配され、当該薄膜トランジスタが半導体薄膜と酸化膜と
ゲート電極とを含む積層構造を有するエレクトロルミネッセンス表示装置の製造
方法であって、
上記絶縁性の基板に多結晶シリコンからなる上記半導体薄膜を形成する半導体
薄膜形成工程と、
上記半導体薄膜の上に上記酸化膜を形成する酸化膜形成工程と、
上記酸化膜形成工程後に酸素原子を含有する気体の加圧雰囲気下で熱処理を行
うアニール工程と、
上記アニール工程後に上記酸化膜上に水素脱離防止膜を成膜する水素脱離防止
膜成膜工程と、
上記水素脱離防止膜成膜工程後に熱処理を行う水素化工程とを備えること
を特徴とするエレクトロルミネッセンス表示装置の製造方法。
【請求項９】  半導体薄膜と、酸化膜と、ゲート電極とを含む積層構造を有
する薄膜トランジスタであって、
上記半導体薄膜は、絶縁性の基板に形成された多結晶シリコンからなり、
上記酸化膜は、上記半導体薄膜上に形成され、
上記半導体薄膜と上記酸化膜とに対して酸素原子を含有する気体の加圧雰囲気
下で熱処理を行うアニール工程と、上記アニール工程後に上記酸化膜上に水素脱
離防止膜を成膜する水素脱離防止膜成膜工程と、上記水素脱離防止膜成膜工程後
に熱処理を行う水素化工程とを行うことにより形成されること
を特徴とする薄膜トランジスタ。
【請求項１０】  上記半導体薄膜をパタニングして形成された薄膜トランジス
タの素子領域上に上記酸化膜が形成されていること
を特徴とする請求項９記載の薄膜トランジスタ。
【請求項１１】  上記素子領域は、上記半導体薄膜上に上記酸化膜が形成され
当該酸化膜ごと上記半導体薄膜がパタニングされて形成されていること
を特徴とする請求項９記載の薄膜トランジスタ。
【請求項１２】  上記半導体薄膜は、上記絶縁性の基板に予め形成された上記
ゲート電極の上にゲート絶縁膜を介して形成され、当該半導体薄膜の上に上記酸
化膜が形成されていること
を特徴とする請求項９記載の薄膜トランジスタ。
【請求項１３】  画素電極とこれを駆動する薄膜トランジスタとが配された第
１の基板と上記画素電極に対面する電極が配された第２の基板とが所定の間隙を
おいて対向配置されるとともに上記間隔に液晶が保持されてなる表示パネルを有
し、上記薄膜トランジスタが半導体薄膜と酸化膜とゲート電極とを含む積層構造
を有する液晶表示装置であって、
上記半導体薄膜は、上記第１の基板に形成された多結晶シリコンからなり、
上記酸化膜は、上記半導体薄膜上に形成され、
上記半導体薄膜と上記酸化膜とに対して酸素原子を含有する気体の加圧雰囲気
下で熱処理を行うアニール工程と、上記アニール工程後に上記酸化膜上に水素脱
離防止膜を成膜する水素脱離防止膜成膜工程と、上記水素脱離防止膜成膜工程後
に熱処理を行う水素化工程とを行うことにより形成されること
を特徴とする液晶表示装置。
【請求項１４】  絶縁性の基板にエレクトロルミネッセンス素子とこれを駆動
する薄膜トランジスタが配され、当該薄膜トランジスタが半導体薄膜と酸化膜と
ゲート電極とを含む積層構造を有するエレクトロルミネッセンス表示装置であっ
て、
上記半導体薄膜は、絶縁性の基板に形成された多結晶シリコンからなり、
上記酸化膜は、上記半導体薄膜上に形成され、
上記半導体薄膜と上記酸化膜とに対して、酸素原子を含有する気体の加圧雰囲
気下で熱処理を行うアニール工程と、上記アニール工程後に上記酸化膜上に水素
脱離防止膜を成膜する水素脱離防止膜成膜工程と、上記水素脱離防止膜成膜工程
後に熱処理を行う水素化工程とを行うことにより形成されること
を特徴とするエレクトロルミネッセンス表示装置。
【手続補正書】
【提出日】平成18年10月23日(2006.10.23)
【手続補正１】
【補正対象書類名】明細書
【補正対象項目名】特許請求の範囲
【補正方法】変更
【補正の内容】
【特許請求の範囲】
【請求項１】ステアリングシャフトに発生する操舵トルクに基いて演算手段で演算された操舵補助指令値と、モータの電流値とから演算した電流制御値に基いてステアリング機構に操舵補助力を与える前記モータを制御するようになっている電動パワーステアリング装置の制御装置において、前記モータ及びステアリング機構の慣性を補償する補償部を具備し、前記補償部の補償出力信号を車両及びシステムの共振周波数帯域でゲインを減衰させる帯域除去フィルタに通して前記操舵補助指令値に印加するようになっていることを特徴とする電動パワーステアリング装置の制御装置。
【請求項２】前記帯域除去フィルタのゲイン特性を周波数１０Ｈｚ付近で小さくすると共に、位相特性をほぼ１０Ｈｚ以下で遅れ位相、ほぼ１０Ｈｚ以上で進み位相としている請求項１に記載の電動パワーステアリング装置の制御装置。
【請求項３】前記帯域除去フィルタの特性を車速によって変化させるようになっている請求項１に記載の電動パワーステアリング装置の制御装置。
【請求項４】前記操舵トルクと車両のヨーレートから前記車両が直進状態にあるか否かを判定し、直進時にのみ前記帯域除去フィルタを用いるようになっている請求項１に記載の電動パワーステアリング装置の制御装置。
【手続補正２】
【補正対象書類名】明細書
【補正対象項目名】００１１
【補正方法】変更
【補正の内容】
【００１１】
また、本発明の上記目的は、前記帯域除去フィルタのゲイン特性を周波数１０Ｈｚ付近で小さく、位相特性をほぼ１０Ｈｚ以下で遅れ位相、ほぼ１０Ｈｚ以上で進み位相とすることにより、或いは前記帯域除去フィルタの特性を車速によって変化させることにより、或いは前記操舵トルクと車両のヨーレートから前記車両が直進状態にあるか否かを判定し、直進時にのみ前記帯域除去フィルタを用いることにより、より効果的に達成される。
【手続補正書】
【提出日】平成18年9月25日(2006.9.25)
【手続補正１】
【補正対象書類名】明細書
【補正対象項目名】特許請求の範囲
【補正方法】変更
【補正の内容】
【特許請求の範囲】
【請求項１】
トランスジューサアレイを用いて、超音波パルスを被検査体に対して送受信することにより、被検査体内部を撮像する超音波診断装置であって、超音波伝播方向に送波焦点を複数設定し、前記トランスデューサの送波口径を構成する複数の素子の各々から送波される送波パルス波について、各焦点距離に対応する複数の送波遅延時間の重みづけ平均値を前記素子ごとに求め、前記重みづけ平均値を遅延時間として送波することを特徴とする超音波診断装置。
【請求項２】
トランスジューサアレイを用いて、超音波パルスを造影剤が導入された被検査体に対して送受信することにより、被検査体内部を撮像する超音波診断装置であって、超音波伝播方向に送波焦点を複数設定し、前記トランスデューサの送波口径を構成する複数の素子の各々から送波される送信パルス波について、各焦点距離に対応する複数の送波遅延時間の重みづけ平均値を前記素子ごとに求め、前記重みづけ平均値を遅延時間として送波することを特徴とする超音波診断装置。
【請求項３】
前記トランスジューサアレイの送波口径から送信される超音波パルスの波面は、非球面を形成することを特徴とする請求項１に記載の超音波診断装置。
【請求項４】
前記トランスジューサアレイの送波口径から送信される超音波パルスの波面は、非球面を形成することを特徴とする請求項２に記載の超音波診断装置。
【請求項５】
前記トランスジューサアレイの送波口径から送信される超音波パルスの波面は、その口径中央部の曲率が中央部以外の部分の曲率より大きくなるよう制御されることを特徴とする請求項１に記載の超音波診断装置。
【請求項６】
前記トランスジューサアレイの送波口径から送信される超音波パルスの波面は、その口径中央部の曲率が中央部以外の部分の曲率より大きくなるよう制御されることを特徴とする請求項２に記載の超音波診断装置。
【請求項７】
前記送波口径の重みづけが、唯一のピークを口径中央部にもつ関数によって構成されていることを特徴とする請求項１乃至２記載の超音波診断装置。
【請求項８】
前記送波口径の重みづけが、ガウス関数によって構成されていることを特徴とする請求項１乃至２記載の超音波診断装置。
【請求項９】
前記トランスジューサアレイの送波口径を構成する各素子から送波される送波波形が、遅延時間と送波口径の重みづけを除いて略同一であることを特徴とする請求項１乃至２記載の超音波診断装置。
【請求項１０】
前記遅延時間と、特定の焦点距離について計算した遅延時間との両方を記録しておき、いずれか一方を選択して送波することを特徴とする請求項１乃至２記載の超音波診断装置。
【請求項１１】
前記送波口径の重みづけが、前記送波口径の端にゼロ点をもつハニング関数にガウス関数を乗じて得られる関数によって構成されていることを特徴とする請求項１乃至２記載の超音波診断装置。
【請求項１２】
超音波伝播方向の送信フォーカスの範囲を両端に矢羽をもつ矢印により表示することを特徴とする請求項１乃至２記載の超音波診断装置。
【請求項１３】
トランスジューサアレイを用いて、超音波パルスを被検査体に対して送受信することにより、被検査体内部を撮像する超音波診断装置であって、前記トランスジューサアレイの送波口径の中央部では短い焦点距離の波面に近く、かつ前記トランスジューサアレイの送波口径の周辺部では長い焦点距離の波面に近くなるよう制御して前記トランスジューサアレイの送波口径から超音波パルスを送信し、前記超音波パルスの波面は送波口径全体にわたって滑らかに連続した非球面を形成し、前記トランスデューサの送波口径を構成する複数の素子から送波される前記超音波パルスは、複数の前記焦点距離の各々に対応する複数の送波遅延時間の重み付け平均値を前記素子ごとに求め、前記重み付け平均値を遅延時間として送信されることを特徴とする超音波診断装置。
【請求項１４】
トランスジューサアレイを用いて、超音波パルスを被検査体に対して送受信することにより、被検査体内部を撮像する超音波診断装置であって、前記トランスジューサアレイの送波口径の中央部では短い焦点距離の波面に近く、かつ前記トランスジューサアレイの送波口径の周辺部では長い焦点距離の波面に近くなるよう制御して前記トランスジューサアレイの送波口径から超音波パルスを送信し、前記超音波パルスの波面は送波口径全体にわたって滑らかに連続した非球面を形成し、１回の超音波パルスの送信で、超音波伝播方向に幅がほぼ一様な送信ビームを形成することを特徴とする超音波診断装置。